(57)【要約】【課題】  閉成時に戸袋に収容される形式の引戸や複数枚の引戸が互いに重なる場合等において引戸の表面並びに裏面が戸袋や重ねられた引戸に遮られてしまう場合であってもきわめて簡単且つ確実に開操作ができる引戸用の引き手を提供する。【解決手段】  引戸２における戸先側の端部に形成した木口面から表面および裏面に渡って形成される側面コの字形の切欠凹部３の上面３１に接合する上部枠４３と、前記切欠凹部３の下面３２に接合する下部枠４４と、前記切欠凹部３の内側面３３に接合する前記上部枠４３および下部枠４４の基端を連結する側部枠４５とからなる前記切欠凹部３と同幅を有する外枠４と、前記外枠４の開口部４１に架設された板状の指掛け部５とからなる引戸用の引き手１において、前記指掛け部５が少なくともその一部を前記開口部４１の開口端４２から所定距離だけ突出可能に架設されていることを特徴とする。【選択図】図３
2019056215.tif 000002
【特許請求の範囲】
【請求項１】
引戸における戸先側の端部に形成した木口面から表面および裏面に渡って形成される側面コの字形の切欠凹部の上面に接合する上部枠と、前記切欠凹部の下面に接合する下部枠と、前記切欠凹部の内側面に接合する前記上部枠および下部枠の基端を連結する側部枠とからなる前記切欠凹部と同幅を有する外枠と、前記外枠の開口部に架設された板状の指掛け部とからなる引戸用の引き手において、前記指掛け部が少なくともその一部を前記開口部の開口端から所定距離だけ突出可能に架設されていることを特徴とする引戸用の引き手。
【請求項２】
前記指掛け部が外枠に対してスライドすることにより突出可能に架設されていることを特徴とする請求項１記載の引戸用の引き手。
【請求項３】
前記スライドが斜め上下方向であることを特徴とする請求項２記載の引戸用の引き手。
【請求項４】
前記指掛け部が外枠に対して回動することで突出可能に架設されていることを特徴とする請求項１記載の引戸用の引き手。
【請求項５】
前記指掛け部の横幅は少なくとも一部が前記外枠の開口部の幅よりも狭く形成されていることを特徴とする請求項１，２，３または４記載の引戸用の引き手。
【発明の詳細な説明】
【技術分野】
【０００１】
本発明は、指を掛けて引戸を開閉操作するための引き手、殊に、引戸の木口面に沿って取り付けられる引戸用の引き手に関するものである。
【背景技術】
【０００２】
引戸には従来から表面並びに裏面に指を掛けて引戸を開閉操作するために指を掛ける凹部を有する引き手が備えられていたが、これらの引き手は例えば引き込み戸のように閉成時に戸袋に収容される形式の引戸や複数枚の引戸が互いに重なる場合等においては引き手の部分が戸袋や重ねられた引戸に遮られてしまうことから指が掛けられないので引き手としての機能を発揮できないという問題があり、また、開閉操作したときに指を挟んでしまうという心配もあった。
【０００３】
そこで、例えば特開平１１−６２３３２号公報、特開２００８−２５５６９０号公報等に簡単な構成で、戸袋や他の引戸に遮られても使用が可能で、指を挟む心配が少ない引き手が提示されている。
【０００４】
これらの公報に提示されている引き手は、図６（ａ）に示したように、引戸２ａにおける戸先側の端部に形成した木口面２１ａから表面２２ａおよび裏面２３ａに渡って形成される切欠凹部３ａの上面３１ａに接合する上部枠１１ａと、切欠凹部３ａの下面３２ａに接合する下部枠１２ａと、前記切欠凹部３ａの内側面３３ａに接合する前記上部枠１１ａと下部枠１２ａの基端を連結する側部枠１３ａとからなる前記切欠凹部３ａと同幅の外枠５１ａにおける前面の開口端に前記引戸２ａの木口面２１ａに沿って前記外枠５１ａよりも幅狭の指掛け部４ａが架設されている構成であり、図６（ｂ）に示すように、例えば戸袋５ａ等に引き込まれても戸袋５ａとの間に形成された隙間１４ａを通して指を差し込むことにより（図示せず）引き手１ａの指掛け部４ａを引いて引戸２ａを移動させることができるものである。
【０００５】
ところが、前記従来の引き手１ａは、戸袋５ａ等に引き込まれている引戸２ａを引き出すためには指掛け部４ａの内側面に指を差し込む必要があるにも拘わらず指を差し込むための隙間１４ａが狭いことから指掛け部４ａを掴みにくく、また、指を挟んでしまうという心配があった。
【０００６】
そこで、近頃、特開２０１４−１１８７０１号公報、特開２０１５−２００１３５号公報などに更に使い勝手を向上させた引き手が提示されているが、これらの引き手は例えば図７に示すように、指掛け部４ａと側枠部１３ａを連結する仕切り板６ａを縦方向に配置した回転軸７ａにおいて引戸２ａの表面２２ａおよび裏面２３ａ方向に揺動可能とすることにより指を差し込む空間を拡張可能として指掛けを更に容易にするものである。
【先行技術文献】
【特許文献】
【０００７】
【特許文献１】特開平１１−６２３３２号公報
【特許文献２】特開２００８−２５５６９０号公報
【特許文献３】特開２０１４−１１８７０１号公報
【特許文献４】特開２０１５−２００１３５号公報
【発明の概要】
【発明が解決しようとする課題】
【０００８】
ところが、前記従来の引戸用の引き手は、前記引戸２ａの木口面２１ａに沿って固定して配置される指掛け部４ａと戸袋５ａとの隙間に指を差し込むことに変わりなく、操作が困難である点は共通していた。
【０００９】
本発明は、前記従来の引戸用の引き手が有する木口側から指掛け部と戸袋との隙間に指を差し込むのが困難であるという問題点を解決して閉成時に戸袋に収容される形式の引戸や複数枚の引戸が互いに重なる場合等において引戸の表面並びに裏面が戸袋や重ねられた引戸に遮られてしまう場合であってもきわめて簡単且つ確実に開操作ができる引戸用の引き手を提供することを課題とする。
【課題を解決するための手段】
【００１０】
前記課題を解決するためになされた本発明である引戸用の引き手は、引戸における戸先側の端部に形成した木口面から表面および裏面に渡って形成される側面コの字形の切欠凹部の上面に接合する上部枠と、前記切欠凹部の下面に接合する下部枠と、前記切欠凹部の内側面に接合する前記上部枠および下部枠の基端を連結する側部枠とからなる前記切欠凹部と同幅を有する外枠と、前記外枠の開口部に架設された板状の指掛け部とからなる引戸用の引き手において、前記指掛け部が少なくともその一部を前記開口部の開口端から所定距離だけ突出可能に架設されていることを特徴とする。
【００１１】
本発明によれば、引戸を開くときに始めに指掛け部を引いて指掛け部を引戸の木口面に沿って配置される外枠の開口部から所定距離だけ突出させることで指掛け部に指を掛け易くした状態とし、次いで突出させて掴みやすくなっている指掛け部を更に引いて引戸を移動させることができるので引戸の側面が遮断された状態にあってもきわめて容易且つ確実に引き出すことができるものである。
【００１２】
また、本発明において、前記指掛け部が外枠に対してスライド可能に架設されている場合には指掛け部の全体が外枠から突出するので操作し易い。
【００１３】
更に、本発明において、前記指掛け部が外枠に対してスライドが斜め上下方向である場合には指掛け操作と引戸の移動操作とを確実に判別することができるので操作性に優れており、特に、斜め上方向へとスライドさせて突出させる場合には引戸の操作が終わったときに指掛け部を戻し易く、特に指掛け部が比較的重量がある材質により形成されている場合には指を離すことで指掛け部が元の開口部に自重でスライドして復帰するのできわめて便利である。
【００１４】
更にまた、本発明において、前記指掛け部が外枠に対して回動可能に架設されている場合には更に簡単な構成で実施することができる。
【００１５】
加えて、本発明は例えば戸袋から引戸を引き出すときに先行発明のように指掛け部の内側面に指を掛けて引戸を引き出すものと異なり、最初に指掛け部だけを少ない力で引き出すものであることから、前記指掛け部の横幅は少なくとも一部が前記外枠の開口部の幅よりも狭く形成されている場合には指掛け部における側端縁の前記狭く形成されている部分を掴むことで指掛け部を突出させ易い。殊に、本発明は例えば戸袋から引戸を引き出すときに先行発明のように指掛け部の裏面に指を掛けて引戸を突出させるものと異なり、最初に指掛け部だけを引き出すものであることから有効である。
【発明の効果】
【００１６】
本発明によれば、前記従来における引戸用の引き手のように狭い空間に指を差し込んで指掛け部に指を掛けるものと異なり、引戸の木口面から突出させた指掛け部に指を掛けて引戸を引き出すことが可能であり、その突出状態で指掛け部を掴んで引戸を引き出すことから引戸が戸袋などに引き込まれている状態でも簡単且つ確実に引戸を移動させることが可能である。また、指掛け部は常時は従来の指掛け部と同様に外枠における開口部の開口端、即ち引戸の木口に沿って突出することなく配置されることから邪魔になることもなく、外観上も美麗である。
【図面の簡単な説明】
【００１７】
【図１】本発明である引戸用の引き手の好ましい実施の形態を示す斜視図。
【図２】図１に示した実施の形態の分解斜視図。
【図３】図１に示した実施の形態の指掛け部を引戸に取り付けた状態を示す斜視図であり、（ａ）は指掛け部を外枠の開口部に配置した状態、（ｂ）は指掛け部を外枠の開口部から突出させた状態を示す。
【図４】図３に示した実施の形態の縦断面図を示すものであり、（ａ）は図３（ａ）の縦断面図、（ｂ）は図３（ｂ）の縦断面図を示す。
【図５】本発明の異なる実施の形態を示す斜視図であり、（ａ）は指掛け部を閉じた状態、（ｂ）は指掛け部の一部を突出させた状態を示す。
【図６】従来例を示す斜視図であり、（ａ）は引戸に取り付ける前の状態、（ｂ）は引戸に取り付けた状態を示す。
【図７】異なる従来例を示す横断面図を示す。
【発明を実施するための形態】
【００１８】
以下に、本発明の好ましい実施の形態について図面を参照して詳細に説明する。
【００１９】
図１乃至図４は本発明の好ましい実施の形態を示すものであり、引き手１は前記図６に示した従来の引き手と同様に引戸２における戸先側の端部に形成した木口面２１から表面２２および裏面２３に渡って形成されるコの字形の切欠凹部３に嵌装される外枠４と前記外枠４の開口部４１の開口端４２から所定距離だけ突出可能に架設されている板状の指掛け部５を有している。
【００２０】
尚、本実施の形態における前記外枠４が例えば硬質の合成樹脂や鋳造金属により形成され、特に、幅方向に２分割された外枠部材４Ａと外枠部材４Ｂとを接合して作られている（図２参照）。
【００２１】
更に詳細に説明すると、前記外枠４は、前記従来の引き手における外枠と同様に引戸２に形成される切欠凹部３と同幅で、前記切欠凹部３の上面３１に接合する上部枠４３と、切欠凹部３の下面３２に接合する下部枠４４と、前記切欠凹部３の内側面３３に接合する前記上部枠４３と下部枠４４の基端を連結する側部枠４５と、上部枠４３と下部枠４２の先端を連結する先端側の側部枠４６とから形成される。
【００２２】
また、前記外枠４の開口部４１を覆うように配置される板状の指掛け部５は長さ方向の両側縁が中央において凹んだ全体が杵状であるとともに裏面に所定の幅を有するスライド片５２が指掛け片５１と断面Ｔ字となるように立設されており、更に前記スライド片５２には図示する長孔により形成された互いに平行な一対のスライド孔５３，５３が形成されている。
【００２３】
殊に、本実施の形態では、前記スライド孔５３，５３は水平ではなく後方から前方に掛けて図示する斜め上方向に傾斜している。
【００２４】
一方、前記指掛け部５が架設される外枠４は、前記各外枠部材４Ａと４Ｂを組み合わせたときに前記開口部４１に前記指掛け部５のスライド片５２が挟挿される間隔を有して開口する隙間６を形成する隔壁６１，６２がそれぞれ形成されており、前記隙間６に前記指掛け部５に形成されているスライド片５２が前後方向に向けて差し込まれる。
【００２５】
また、前記隙間６を形成する隔壁６１または６２の少なくともいずれか一方の対向面には前記指掛け部５のスライド片５２を誘導するガイド片６３ならびに前記指掛け部５のスライド片５２に形成されたスライド孔５３，５３にそれぞれ嵌挿されるスライドピン６４，６４、更には前記スライド片５２を当接させて所定位置に保持するストッパ６５のそれぞれが立設されている。
【００２６】
尚、符号４７は外枠４の側部枠４６の端面から指掛け部５の指掛け片５１を囲むように配置されたフランジである。
【００２７】
以上の構成を有する本実施の形態は、通常時は図３（ａ）および図４（ａ）に示すように前記従来のこの種の引き手と同様に指掛け部５の指掛け片５１が外枠４の開口部４１における開口端４２に沿って開口部４１を覆う状態（引戸２の木口面２１に沿った状態）に配置される。従って、指掛け部５が邪魔になることもなく外観も美麗である。
【００２８】
そして、例えば戸袋や他の引戸などにより引戸の表面や裏面が遮断された場合には、指掛け部５の指掛け片５１を摘んで手前に引くと、図３（ｂ）および図４（ｂ）に示すように、先ず、掴んだ指掛け片５１だけが外枠４に対して前記スライド孔５３，５３に沿ってスライドして開口部４１から斜め上方に突出した状態に移動する。殊に、本実施の形態では指掛け片５１は長さ方向の側端部５４，５４の中央を凹部５５，５５とした全体が杵状に形成されているとともに前記凹部５５，５５に対応する位置の外枠４のフランジ４７，４７の一部を切欠いているので前記凹部５５，５５によって指掛け片５１を容易に摘むことができる。
【００２９】
そして、前記指掛け片５１がスライドして、スライドピン６４，６４がスライド孔５３，５３の図示する下端に位置したときにスライドが停止するので、更に指掛け部５を引くことで、続けて引戸２を引き出すものである。
【００３０】
このように、本実施の形態では、引戸２が戸袋等に遮られて引き手１に指が掛けにくい状況であっても、始めに指掛け部５の指掛け片５１を隙間６から前方にスライドさせて外枠４の開口部４１の開口端４２（木口面２１）から突出させて十分に指掛け部５を掴み易い状態として引戸２を引き出すことができるので、引き出しが極めて容易で確実であり、指を挟むような心配もない。
【００３１】
また、本実施の形態では、始めに前記指掛け部５を斜め上方にスライドするように構成しているので、指掛け部５を引いたときには指掛け部５が引戸２を引くことがなく必ず最初にスライドして指掛け部５を掴みやすい状態にしてから引戸２を引くことになり、引き手１としての機能を確実に発揮させることができ、また、引戸２を引出した後で指掛け部５を離すことにより自重もあって、元の隙間６位置に復帰させるという利点があるが、本発明は指掛け部が所定の距離だけ突出可能に外枠４に架設されていればよく、スライド方向は問わない。
【００３２】
更に、本実施の形態では、前記上部枠４３と下部枠４２の先端を連結する先端側の側部枠４６が形成されており、この側部枠４６の表面側に前記開口部４１が形成されていることから、指掛け部５を引くことで引戸２を引き出した後に指掛け部５から指を離して側部枠４６に指を持ち替えて従来の引戸の表面や裏面に備えた凹部からなる引き手と同様にして引戸２を閉成することが可能であり、完全に引戸２を閉成させることができるとともに指を挟むような心配もない。
【００３３】
図５は本発明の異なる実施の形態を示すものであり、外枠４と指掛け部５については前記実施の形態とほぼ同様であるが、指掛け部５がスライドするものでなく、外枠５に設けた軸７により指掛け部５を回動可能に架設したものであり、構成が簡単であるとともに軸７を指掛け部５の偏位置に配置することにより手を離したときに自重で戻り易い。
【符号の説明】
【００３４】
１  引き手、２  引戸、３  切欠凹部、４  外枠、５  指掛け部、６  隙間、７  軸、２１  木口面、２２  表面、２３  裏面、３１  上面、３２  下面、３３  内側面、４１  開口部、４２  開口端、４３  上部枠、４４  下部枠、４５  側部枠、４６  側部枠、４７  フランジ、５１  指掛け片、５２  スライド片、５３  スライド孔、５４  側端部、５５  凹部、６１  隔壁、６２  隔壁、６３  ガイド片、６４  スライドピン、６５  ストッパ
【図１】
2019056215.tif 000003
【図２】
2019056215.tif 000004
【図３】
2019056215.tif 000005
【図４】
2019056215.tif 000006
【図５】
2019056215.tif 000007
【図６】
2019056215.tif 000008
【図７】
2019056215.tif 000009